(57)【要約】  ネットワーク機器（１１０、１０２０）が隣接ネットワーク機器の能力情報を学習することができるようにする、能力のインタラクション方法および関連機器を提供する。ここで、前記方法は、少なくとも１つの隣接ネットワーク機器、および／または少なくとも１つの隣接セルの能力情報を取得すること（６１０）と、前記隣接ネットワーク機器の能力情報、および／または少なくとも１つの隣接セルの能力情報に基づいて、少なくとも１つの端末機器（１２０、１０１０）に対する無線リソースの構成を決定すること（６２０）とを含む。
2021528894.tif 000002
【特許請求の範囲】
【請求項１】
ネットワーク機器に適用される、能力のインタラクション方法であって、
少なくとも１つの隣接ネットワーク機器、および／または少なくとも１つの隣接セルの能力情報を取得することと、
前記隣接ネットワーク機器の能力情報、および／または少なくとも１つの隣接セルの能力情報に基づいて、少なくとも１つの端末機器に対する無線リソースの構成を決定することと、を含む、前記能力のインタラクション方法。
【請求項２】
前記少なくとも１つの隣接ネットワーク機器、および／または少なくとも１つの隣接セルの能力情報を取得することは、
少なくとも１つの隣接ネットワーク機器間のＸｎインターフェースを介して、少なくとも１つの隣接ネットワーク機器、および／または少なくとも１つの隣接セルの能力情報を取得することを含む、
請求項１に記載の能力のインタラクション方法。
【請求項３】
前記少なくとも１つの隣接ネットワーク機器、および／または少なくとも１つの隣接セルの能力情報を取得することは、
端末機器によって送信された測定報告を取得することを含み、前記測定報告は、少なくとも１つの隣接ネットワーク機器または少なくとも１つの隣接セルの能力情報、および前記少なくとも１つの隣接ネットワーク機器または少なくとも１つの隣接セルの識別子情報を少なくとも含む、
請求項１に記載の能力のインタラクション方法。
【請求項４】
前記方法は、
測定構成を前記端末機器に送信することをさらに含み、前記測定構成は、前記端末機器が測定する必要のある隣接ネットワーク機器の識別子情報、および／または隣接セルの識別子情報を指示するために使用される、
請求項３に記載の能力のインタラクション方法。
【請求項５】
前記方法は、
前記端末機器によって送信された少なくとも１つの隣接ネットワーク機器の能力情報、および／または少なくとも１つの隣接セルの能力情報に基づいて、隣接ネットワーク機器の能力情報または隣接セルの能力情報を隣接セル関係リストに追加することをさらに含む、
請求項１ないし４のいずれか一項に記載の能力のインタラクション方法。
【請求項６】
前記能力情報は、
接続可能なコアネットワーク情報、ニューラジオで進化したユニバーサル地上無線アクセス（ＮＥ）−デュアル接続（ＤＣ）能力サポート指示、シグナリングラジオベアラー３（ＳＲＢ３）能力サポート指示、スピリットＳＲＢ１能力サポート指示、スピリットＳＲＢ２能力サポート指示、ＤＣベースのパケットデータコンバージェンスプロトコル（ＰＤＣＰ）複製能力サポート指示、キャリアアグリゲーション（ＣＡ）ベースのＰＤＣＰ複製能力サポート指示、無線周波数情報、負荷指示情報、トラッキングエリアコード（ＴＡＣ）情報のうちの少なくとも１つを含む、
請求項１ないし５のいずれか一項に記載の能力のインタラクション方法。
【請求項７】
前記方法は、
前記隣接ネットワーク機器の能力情報、および前記隣接ネットワーク機器に対する端末機器の測定報告に従って、前記隣接ネットワーク機器をセカンダリノード（ＳＮ）として構成するかどうかを判断することをさらに含む、
請求項１ないし６のいずれか一項に記載の能力のインタラクション方法。
【請求項８】
前記方法は、
前記隣接ネットワーク機器をＳＮとして追加する場合、前記隣接ネットワーク機器に需要情報を構成することをさらに含み、
前記需要情報は、
ＳＮ側のＳＲＢ３の構成需要指示、ＳＮ側のスピリットＳＲＢ１の構成需要指示、ＳＮ側のスピリットＳＲＢ２の構成需要指示、ＳＮ側のデュアル接続（ＤＣ）ベースのＰＤＣＰ複製の構成需要指示および対応するデータ無線ベアラ（ＤＲＢ）識別子、ＳＮ側のＣＡベースのＰＤＣＰ複製の構成需要指示および対応するＤＲＢ識別子のうちの少なくとも１つを含む、
請求項７に記載の能力のインタラクション方法。
【請求項９】
前記隣接ネットワーク機器の能力情報、および前記隣接ネットワーク機器に対する端末機器の測定報告に従って、前記隣接ネットワーク機器をセカンダリノード（ＳＮ）として構成するかどうかを判断することは、
接続可能なコアネットワーク情報、ＮＥ−ＤＣ能力サポート指示、ＳＲＢ３能力サポート指示、スピリットＳＲＢ１能力サポート指示、スピリットＳＲＢ２能力サポート指示、ＤＣベースのＰＤＣＰ複製能力サポート指示、ＣＡベースのＰＤＣＰ複製能力サポート指示のうちの少なくとも１つの前記隣接ネットワーク機器の能力情報、および前記隣接ネットワーク機器に対する端末機器の測定報告に従って、前記隣接ネットワーク機器をセカンダリノード（ＳＮ）として構成するかどうかを判断することを含む、
請求項７に記載の能力のインタラクション方法。
【請求項１０】
前記方法は、
前記隣接ネットワーク機器の能力情報に無線周波数情報が含まれている場合、端末機器によってサポートされる無線周波数情報を参照して、前記隣接ネットワーク機器をＳＮとして構成するかどうかを判断すること、
前記隣接ネットワーク機器の能力情報に負荷指示情報が含まれている場合、少なくとも１つの隣接ネットワーク機器の負荷状況を参照して、前記少なくとも１つの隣接ネットワーク機器からターゲットネットワーク機器を選択して、ＳＮとして構成すること、
前記隣接ネットワーク機器の能力情報にトラッキングエリアコード（ＴＡＣ）情報が含まれている場合、コアネットワークからの端末機器のハンドオーバ制限情報を参照して、前記隣接ネットワーク機器をＳＮとして構成するかどうかを判断すること、のうちの少なくとも１つをさらに含む、
請求項７に記載の能力のインタラクション方法。
【請求項１１】
前記コアネットワークからの端末機器のハンドオーバ制限情報を参照して、前記隣接ネットワーク機器をＳＮとして構成するかどうかを判断することは、
コアネットワークからの端末機器のハンドオーバ制限情報が、隣接ネットワーク機器に対応するＴＡＣがアクセス禁止ＴＡＣであることである場合、前記隣接ネットワーク機器をＳＮとして構成しないことを含む、
請求項１０に記載の能力のインタラクション方法。
【請求項１２】
端末機器に適用される、能力のインタラクション方法であって、
測定報告をネットワーク機器に送信することを含み、測定報告は、少なくとも１つの隣接ネットワーク機器の能力情報および／または少なくとも１つの隣接セルの能力情報、および前記少なくとも１つの隣接ネットワーク機器の識別子情報または少なくとも１つの隣接セルの識別子情報を少なくとも含む、前記能力のインタラクション方法。
【請求項１３】
前記測定報告をネットワークに送信する前に、前記方法は、
ネットワーク機器によって送信された測定構成を受信することをさらに含み、前記測定構成は、前記端末機器が測定する必要のある隣接ネットワーク機器の識別子情報、および／または隣接セルの識別子情報を指示するために使用される、
請求項１２に記載の能力のインタラクション方法。
【請求項１４】
前記方法は、
隣接ネットワーク機器および／または隣接セルによってブロードキャストされた能力情報を受信することをさらに含む、
請求項１２に記載の能力のインタラクション方法。
【請求項１５】
前記能力情報は、
接続可能なコアネットワーク情報、ニューラジオで進化したユニバーサル地上無線アクセス（ＮＥ）−デュアル接続（ＤＣ）能力サポート指示、シグナリングラジオベアラー３（ＳＲＢ３）能力サポート指示、スピリットＳＲＢ１能力サポート指示、スピリットＳＲＢ２能力サポート指示、ＤＣベースのパケットデータコンバージェンスプロトコル（ＰＤＣＰ）複製能力サポート指示、キャリアアグリゲーション（ＣＡ）ベースののＰＤＣＰ複製能力サポート指示、無線周波数情報、負荷指示情報、トラッキングエリアコード（ＴＡＣ）情報のうちの少なくとも１つを含む、
請求項１２ないし１４のいずれか一項に記載の能力のインタラクション方法。
【請求項１６】
ネットワーク機器であって、
少なくとも１つの隣接ネットワーク機器、および／または少なくとも１つの隣接セルの能力情報を取得するように構成される第１通信ユニットと、
前記隣接ネットワーク機器、および／または少なくとも１つの隣接セルの能力情報に基づいて、少なくとも１つの端末機器に対する無線リソースの構成を決定するように構成される第１処理ユニットと、を備える、前記ネットワーク機器。
【請求項１７】
前記第１通信ユニットは、少なくとも１つの隣接ネットワーク機器間のＸｎインターフェースを介して、少なくとも１つの隣接ネットワーク機器、および／または少なくとも１つの隣接セルの能力情報を取得するように構成される、
請求項１６に記載のネットワーク機器。
【請求項１８】
前記第１通信ユニットは、端末機器によって送信された測定報告を取得するように構成され、前記測定報告は、少なくとも１つの隣接ネットワーク機器の能力情報または少なくとも１つの隣接セルの能力情報、および前記少なくとも１つの隣接ネットワーク機器の識別子情報または少なくとも１つの隣接セルの識別子情報を少なくとも含む、
請求項１６に記載のネットワーク機器。
【請求項１９】
前記第１通信ユニットは、測定構成を端末機器に送信するように構成され、前記測定構成は、前記端末機器が測定する必要のある隣接ネットワーク機器の識別子情報、および／または隣接セルの識別子情報を指示するために使用される、
請求項１８に記載のネットワーク機器。
【請求項２０】
前記第１処理ユニットは、前記端末機器によって送信された少なくとも１つの隣接ネットワーク機器の能力情報、および／または少なくとも１つの隣接セルの能力情報に基づいて、隣接ネットワーク機器の能力情報または隣接セルの能力情報を隣接セル関係リストに追加するように構成される、
請求項１６ないし１９のいずれか一項に記載のネットワーク機器。
【請求項２１】
前記能力情報は、
接続可能なコアネットワーク情報、ニューラジオで進化したユニバーサル地上無線アクセス（ＮＥ）−デュアル接続（ＤＣ）能力サポート指示、シグナリングラジオベアラー３（ＳＲＢ３）能力サポート指示、スピリットＳＲＢ１能力サポート指示、スピリットＳＲＢ２能力サポート指示、ＤＣベースのパケットデータコンバージェンスプロトコル（ＰＤＣＰ）複製能力サポート指示、キャリアアグリゲーション（ＣＡ）ベースのＰＤＣＰ複製能力サポート指示、無線周波数情報、負荷指示情報、トラッキングエリアコード（ＴＡＣ）情報のうちの少なくとも１つを含む、
請求項１６ないし２０のいずれか一項に記載のネットワーク機器。
【請求項２２】
前記第１処理ユニットは、隣接ネットワーク機器の能力情報、および前記隣接ネットワーク機器に対する端末機器の測定報告に従って、前記隣接ネットワーク機器をセカンダリノード（ＳＮ）として構成するかどうかを判断するように構成される、
請求項１６ないし２１のいずれか一項に記載のネットワーク機器。
【請求項２３】
前記第１通信ユニットは、前記隣接ネットワーク機器をＳＮとして追加する場合、前記隣接ネットワーク機器に需要情報を構成するように構成され、
前記需要情報は、
ＳＮ側のＳＲＢ３の構成需要指示、ＳＮ側のスピリットＳＲＢ１の構成需要指示、ＳＮ側のスピリットＳＲＢ２の構成需要指示、ＳＮ側のデュアル接続（ＤＣ）ベースのＰＤＣＰ複製の構成需要指示および対応するデータ無線ベアラ（ＤＲＢ）識別子、ＳＮ側のＣＡベースのＰＤＣＰ複製の構成需要指示および対応するＤＲＢ識別子のうちの少なくとも１つを含む、
請求項２２に記載のネットワーク機器。
【請求項２４】
前記第１処理ユニットは、接続可能なコアネットワーク情報、ＮＥ−ＤＣ能力サポート指示、ＳＲＢ３能力サポート指示、スピリットＳＲＢ１能力サポート指示、スピリットＳＲＢ２能力サポート指示、ＤＣベースのＰＤＣＰ複製能力サポート指示、ＣＡベースのＰＤＣＰ複製能力サポート指示のうちの少なくとも１つの前記隣接ネットワーク機器の能力情報、および前記隣接ネットワーク機器に対する端末機器の測定報告に従って、前記隣接ネットワーク機器をセカンダリノード（ＳＮ）として構成するかどうかを判断するように構成される、
請求項２２に記載のネットワーク機器。
【請求項２５】
前記第１処理ユニットは、
前記隣接ネットワーク機器の能力情報に無線周波数情報が含まれている場合、端末機器によってサポートされる無線周波数情報を参照して、前記隣接ネットワーク機器をＳＮとして構成するかどうかを判断すること、
前記隣接ネットワーク機器の能力情報に負荷指示情報が含まれている場合、少なくとも１つの隣接ネットワーク機器の負荷状況を参照して、前記少なくとも１つの隣接ネットワーク機器からターゲットネットワーク機器を選択して、ＳＮとして構成すること、
前記隣接ネットワーク機器の能力情報にトラッキングエリアコード（ＴＡＣ）情報が含まれている場合、コアネットワークからの端末機器のハンドオーバ制限情報を参照して、前記隣接ネットワーク機器をＳＮとして構成するかどうかを判断すること、のうちの少なくとも１つの処理を実行するように構成される、
請求項２２に記載のネットワーク機器。
【請求項２６】
前記第１処理ユニットは、コアネットワークからの端末機器のハンドオーバ制限情報が、隣接ネットワーク機器に対応するＴＡＣがアクセス禁止ＴＡＣであることである場合、前記隣接ネットワーク機器をＳＮとして構成しないように構成される、
請求項２５に記載のネットワーク機器。
【請求項２７】
端末機器であって、
測定報告をネットワーク機器に送信するように構成される第２通信ユニットを備え、前記測定報告は、少なくとも１つの隣接ネットワーク機器の能力情報および／または少なくとも１つの隣接セルの能力情報、および前記少なくとも１つの隣接ネットワーク機器の識別子情報または少なくとも１つの隣接セルの識別子情報を少なくとも含む、前記端末機器。
【請求項２８】
前記第２通信ユニットは、ネットワーク機器によって送信された測定構成を受信するように構成され、前記測定構成は、前記端末機器が測定する必要のある隣接ネットワーク機器の識別子情報、および／または隣接セルの識別子情報を指示するために使用される、
請求項２７に記載の端末機器。
【請求項２９】
前記第２通信ユニットは、隣接ネットワーク機器および／または隣接セルによってブロードキャストされた能力情報を受信するように構成される、
請求項２７に記載の端末機器。
【請求項３０】
前記能力情報は、
接続可能なコアネットワーク情報、ニューラジオで進化したユニバーサル地上無線アクセス（ＮＥ）−デュアル接続（ＤＣ）能力サポート指示、シグナリングラジオベアラー３（ＳＲＢ３）能力サポート指示、スピリットＳＲＢ１能力サポート指示、スピリットＳＲＢ２能力サポート指示、ＤＣベースのパケットデータコンバージェンスプロトコル（ＰＤＣＰ）複製能力サポート指示、キャリアアグリゲーション（ＣＡ）ベースのＰＤＣＰ複製能力サポート指示、無線周波数情報、負荷指示情報、トラッキングエリアコード（ＴＡＣ）情報のうちの少なくとも１つを含む、
請求項２７ないし２９のいずれか一項に記載の端末機器。
【請求項３１】
ネットワーク機器であって、
プロセッサと、プロセッサ上で実行可能なコンピュータプログラムを記憶するように構成されるメモリと、を備え、
前記メモリは、コンピュータプログラムを記憶するように構成され、前記プロセッサは、前記メモリに記憶されたコンピュータプログラムを呼び出して実行して、請求項１ないし１１のいずれか一項に記載の能力のインタラクション方法のステップを実行するように構成される、前記ネットワーク機器。
【請求項３２】
端末機器であって、
プロセッサと、プロセッサ上で実行可能なコンピュータプログラムを記憶するように構成されるメモリと、を備え、
前記メモリは、コンピュータプログラムを記憶するように構成され、前記プロセッサは、前記メモリに記憶されたコンピュータプログラムを呼び出して実行して、請求項１２ないし１５のいずれか一項に記載の能力のインタラクション方法のステップを実行するように構成される、前記端末機器。
【請求項３３】
チップであって、
メモリからコンピュータプログラムを呼び出して実行して、前記チップを実装した機器に請求項１ないし１１のいずれか一項に記載の能力のインタラクション方法を実行させるように構成される、プロセッサを備える、前記チップ。
【請求項３４】
チップであって、
メモリからコンピュータプログラムを呼び出して実行して、前記チップを実装した機器に請求項１２ないし１５のいずれか一項に記載の能力のインタラクション方法を実行させるように構成される、プロセッサを備える、前記チップ。
【請求項３５】
コンピュータ読み取り可能な記憶媒体であって、
前記コンピュータ読み取り可能な記憶媒体は、コンピュータプログラムを記憶するために使用され、前記コンピュータプログラムは、コンピュータが請求項１ないし１５のいずれか一項に記載の能力のインタラクション方法のステップを実行するようにする、前記コンピュータ読み取り可能な記憶媒体。
【請求項３６】
コンピュータプログラム命令を含む、コンピュータプログラム製品であって、
前記コンピュータプログラム命令は、コンピュータが請求項１ないし１５のいずれか一項に記載の能力のインタラクション方法を実行するようにする、前記コンピュータプログラム製品。
【請求項３７】
コンピュータプログラムであって、
前記コンピュータプログラムは、コンピュータが請求項１ないし１５のいずれか一項に記載の能力のインタラクション方法を実行するようにする、前記コンピュータプログラム。
【発明の詳細な説明】
【技術分野】
【０００１】
本出願は、情報処理の技術分野に関し、特に、能力のインタラクション方法、端末機器、ネットワーク機器、コンピュータ記憶媒体、チップ、コンピュータ読み取り可能な記憶媒体、コンピュータプログラム製品およびコンピュータプログラムに関する。
【背景技術】
【０００２】
現在、５Ｇの主な適用シナリオは、強化されたモバイルブロードバンド（ｅＭＢＢ）、超高信頼性低遅延通信（ＵＲＬＬＣ）、大規模マシンタイプ通信（ｍＭＴＣ）である。ニューラジオ（ＮＲ：Ｎｅｗ  Ｒａｄｉｏ）の初期展開時に、完全なＮＲカバレッジを取得することは難しいため、通常のネットワークカバレッジは、広域ＬＴＥカバレッジおよびＮＲのアイランドカバレッジモードである。さらに、大量のＬＴＥは６ＧＨｚ以下で展開し、５Ｇに使用されることができる６ＧＨｚ以下のスペクトルは少ない。したがって、ＮＲは、６ＧＨｚ以上のスペクトルアプリケーションを研究する必要があるが、高周波数帯域のカバレッジは制限され、信号のフェージングが速くなる。
【０００３】
シグナリング伝送の信頼性を保証するために、マスタノード（ＭＮ：Ｍａｓｔｅｒ  Ｎｏｄｅ）側のシグナリング無線ベアラ（ＳＲＢ：Ｓｉｇｎａｌｌｉｎｇ  Ｒａｄｉｏ  Ｂｅａｒｅｒ）１およびＳＲＢ２が、セカンダリノード（ＳＮ：Ｓｅｃｏｎｄａｒｙ  Ｎｏｄｅ）側で同時に伝送することができること、即ち、スピリット（ｓｐｌｉｔ）ＳＲＢ１、ｓｐｌｉｔ  ＳＲＢ２が提案される。しかし、これらのシステムアーキテクチャに対して、依然としてシステムの無線リソースの利用効率を改善する必要がある。
【発明の概要】
【発明が解決しようとする課題】
【０００４】
上記の技術的課題を解決するために、本出願の実施例は、能力のインタラクション方法および関連機器を提供することにより、ネットワーク機器が隣接ネットワーク機器の能力情報を学習することができるようにする。
【課題を解決するための手段】
【０００５】
第１態様によれば、ネットワーク機器に適用される、能力のインタラクション方法を提供し、前記方法は、
少なくとも１つの隣接ネットワーク機器、および／または少なくとも１つの隣接セルの能力情報を取得することと、
前記隣接ネットワーク機器、および／または少なくとも１つの隣接セルの能力情報に基づいて、少なくとも１つの端末機器に対する無線リソースの構成を決定することと、を含む。
【０００６】
第２態様によれば、端末機器に適用される、能力のインタラクション方法を提供し、前記方法は、
測定報告をネットワーク機器に送信することを含み、測定報告は、少なくとも１つの隣接ネットワーク機器および／または少なくとも１つの隣接セルの能力情報、および前記少なくとも１つの隣接ネットワーク機器または少なくとも１つの隣接セルの識別子情報を少なくとも含む。
【０００７】
第３態様によれば、ネットワーク機器を提供し、前記ネットワーク機器は、
少なくとも１つの隣接ネットワーク機器、および／または少なくとも１つの隣接セルの能力情報を取得するように構成される第１通信ユニットと、
前記隣接ネットワーク機器、および／または少なくとも１つの隣接セルの能力情報に基づいて、少なくとも１つの端末機器に対する無線リソースの構成を決定するように構成される第１処理ユニットとを備える。
【０００８】
第４態様によれば、端末機器を提供し、前記端末機器は、
測定報告をネットワーク機器に送信するように構成される第２通信ユニットを備え、前記測定報告は、少なくとも１つの隣接ネットワーク機器および／または少なくとも１つの隣接セルの能力情報、および前記少なくとも１つの隣接ネットワーク機器または少なくとも１つの隣接セルの識別子情報を少なくとも含む。
【０００９】
第５態様によれば、プロセッサおよびメモリを備える、ネットワーク機器を提供する。前記メモリは、コンピュータプログラムを記憶するように構成され、前記プロセッサは、前記メモリに記憶されたコンピュータプログラムを呼び出して実行して、前記第１態様またはその各実現形態の方法を実行するように構成される。
【００１０】
第６態様によれば、プロセッサおよびメモリを含む、端末機器を提供する。前記メモリは、コンピュータプログラムを記憶するように構成され、前記プロセッサは、前記メモリに記憶されたコンピュータプログラムを呼び出して実行して、前記第２態様またはその各実現形態の方法を実行するように構成される。
【００１１】
第７態様によれば、チップを提供し、前記チップは、前記第１態様ないし第２態様のいずれか１つの態様またはその各実現形態の方法を実現するように構成される。
【００１２】
具体的に、前記チップは、メモリからコンピュータプログラムを呼び出して実行して、前記チップを実装した機器が上記の第１態様ないし第２態様のいずれか１つの態様またはその各実現形態の方法を実行するように構成されるプロセッサを備える。
【００１３】
第８態様によれば、コンピュータプログラムを記憶するために使用される、コンピュータ読み取り可能な記憶媒体を提供し、前記コンピュータプログラムは、コンピュータが上記の第１態様ないし第２態様のいずれか１つの態様またはその各実現形態の方法を実行するようにする。
【００１４】
第９態様によれば、コンピュータプログラム命令を含む、コンピュータプログラム製品を提供し、前記コンピュータプログラム命令は、コンピュータが上記の第１態様ないし第２態様のいずれか１つの態様またはその各実現形態の方法を実行するようにする。
【００１５】
第１０態様によれば、コンピュータプログラムを提供し、前記コンピュータプログラムがコンピュータによって実行されるときに、コンピュータが上記の第１態様ないし第２態様のいずれか１つの態様またはその各実現形態の方法を実行するようにする。
【００１６】
本願実施例の技術的解決策によれば、ネットワーク機器およびその隣接ネットワーク機器および／または隣接セル間を介して能力情報のインタラクションを実行することができるため、端末機器の無線リソースの構成を実行することができ、この場合、無線リソースの構成を実行する時に、端末機器の要件にさらに適合することを保証し、さらに、システムの無線リソースの使用効率を向上させることができる。
【図面の簡単な説明】
【００１７】
【図１】デュアルコネクティビティ（ＤＣ）のネットワークの展開およびネットワークアーキテクチャの概略図である。
【図２】ＤＣのネットワークの展開およびネットワークアーキテクチャの概略図である。
【図３】ＤＣのネットワークの展開およびネットワークアーキテクチャの概略図である。
【図４】ＤＣモードでのベアラのタイプの概略図である。
【図５】本出願の実施例によって提供された第１例示的な通信システムアーキテクチャ図である。
【図６】本出願の実施例によって提供された能力のインタラクション方法の例示的なフローチャートである。
【図７】本出願の実施例のネットワーク機器の構成の例示的な構造図である。
【図８】本出願の実施例によって提供された通信機器の構成の例示的な構造図である。
【図９】本出願の実施例によって提供されたチップの例示的な構造図である。
【図１０】本出願の実施例によって提供された第２の例示的な通信システムのアーキテクチャ図である。
【発明を実施するための形態】
【００１８】
以下、本出願の実施例における図面を参照して、本出願の実施例における技術的解決策を説明するが、説明された実施例は、本出願の実施例の一部であり、全部の実施例ではないことは明らかである。本出願の実施例に基づいて、創造的な努力なしに当業者によって得られる他のすべての実施例は、本出願の保護範囲に含まれる。
【００１９】
３ＧＰＰは、２０１７年１２月末の前に最初の５Ｇバージョン、即ちＥＮ−ＤＣ（ＬＴＥ−ＮＲ  Ｄｕａｌ  Ｃｏｎｎｅｃｔｉｖｉｔｙ）を最初に完了させた。ここで、ＬＴＥはマスタノード（ＭＮ：Ｍａｓｔｅｒ  Ｎｏｄｅ）として使用され、ＮＲはセカンダリノード（ＳＮ：Ｓｅｃｏｎｄａｒｙ  Ｎｏｄｅ）として使用され、ネットワークの配置およびネットワークアーキテクチャは図１ないし図３に示す。デュアル接続（ＤＣ）は、ＥＮ−ＤＣ、ＮＥ−ＤＣ（ＮＲ−Ｅ−ＵＴＲＡ  ＤＣ）、５ＧＣ−ＥＮ−ＤＣ、ＮＲ  ＤＣを含む。ＥＮ−ＤＣでは、ＬＴＥノードはＭＮノードとして使用され、ＮＲノードはＳＮノードとして使用されて、ＥＰＣコアネットワークに接続する。ＮＥ−ＤＣでは、ＮＲはＭＮノードとして使用され、ｅＬＴＥはＳＮノードとして使用されて、５ＧＣコアネットワークに接続する。５ＧＣ−ＥＮ−ＤＣでは、ｅＬＴＥはＭＮノードとして使用され、ＮＲはＳＮノードとして使用されて、５ＧＣコアネットワークに接続する。ＮＲ  ＤＣでは、ＮＲはＭＮノードとして使用され、ＮＲはＳＮノードとして使用されて、５ＧＣコアネットワークに接続する。ＤＣモードでのベアラのタイプは、図４に示されたように、ＬＴＥ  ＤＣでは、ユーザプレーンのベアラのタイプは、マスタセルグループ（ＭＣＧ）ベアラ（ｂｅａｒｅｒ）、セカンダリセルグループ（ＳＣＧ）ベアラ（ｂｅａｒｅｒ）、ＭＣＧスピリット（Ｓｐｌｉｔ）ｂｅａｒｅｒを含む。ＭＣＧ  ｓｐｌｉｔ  ｂｅａｒｅｒとＳＣＧ  ｓｐｌｉｔ  ｂｅａｒｅｒとの間の変更を最小化するために、ベアラ調整（ｂｅａｒｅｒ  ｈａｒｍｏｎｉｚａｔｉｏｎ）の概念を提案し、即ち、ＭＣＧ  ｓｐｌｉｔ  ｂｅａｒｅｒおよびＳＣＧ  ｓｐｌｉｔ  ｂｅａｒｅｒはスピリットベアラ（Ｓｐｌｉｔ  ｂｅａｒｅｒ）に統一される。
【００２０】
本出願の実施例の技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは５Ｇシステムなど、様々な通信システムに適用されることができる。
【００２１】
例示的に、本出願の実施例に適用される通信システム１００は、図５に示されたようなものであってもよい。前記通信システム１００は、ネットワーク機器１１０を備えることができ、ネットワーク機器１１０は、端末機器１２０（または通信端末、端末と称する）と通信する機器であってもよい。ネットワーク機器１１０は、特定の地理的エリアに通信カバレッジを提供することができ、前記カバレッジエリア内に位置する端末機器と通信することができる。例示的に、前記ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）の無線コントローラであってもよく、または、前記ネットワーク機器は、モバイルスイッチングセンタ、リレーステーション、アクセスポイント、車載機器、ウェアラブル機器、ハブ、スイッチ、ブリッジ、ルータ、５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００２２】
前記通信システム１００は、さらにネットワーク機器１１０のカバレッジエリア内に位置する少なくとも１つの端末機器１２０を備える。ここで使用される「端末機器」は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ：Ｄｉｇｉｔａｌ  Ｓｕｂｓｃｒｉｂｅｒ  Ｌｉｎｅ）、デジタルケーブル、直接ケーブル接続などのワイヤライン、および／またはおよび／または別のデータ接続／ネットワーク、および／または無線インターフェース、ＤＶＢ−Ｈ  ネットワークのデジタルテレビネットワーク、衛星ネットワーク、ＡＭ−ＦＭブロードキャスト送信機などのセルラーネットワーク、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）などのワイヤレスインターフェース、および／または別の端末機器の通信信号を送受信するように設定された装置、および／または物事のインターネットシステム（ＩｏＴ：Ｉｎｔｅｒｎｅｔ  ｏｆ  Ｔｈｉｎｇｓ）機器を含むが、これらに限定されない。無線インターフェースを介して通信するように設定された端末機器は、「無線通信端末」、「無線端末」または「モバイル端末」と称し得る。モバイル端末の例は、衛星または携帯電話、セルラー無線電話とデータ処理、ファックスおよびデータ通信能力を組み合わせることができるパーソナル通信システム（ＰＣＳ：  Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダおよび／またはグローバルポジショニングシステム（ＧＰＳ：Ｇｌｏｂａｌ  Ｐｏｓｉｔｉｏｎｉｎｇ  Ｓｙｓｔｅｍ）受信機を備えることができるＰＤＡ、および従来のラップトップ型および／またはハンドヘルド型受信機または無線電話トランシーバを備えた他の電子装置を含むが、これらに限定されない。端末機器は、アクセス端末、ユーザー機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス
電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルド機器、コンピューティング機器または無線モデムに接続されたその他の処理デバイス、車載機器、ウェアラブル機器および５Ｇネットワークの端末機器または将来進化するＰＬＭＮの端末機器などであり得る。
【００２３】
例示的に、端末機器１２０間では、装置対装置（Ｄ２Ｄ：Ｄｅｖｉｃｅ  ｔｏ  Ｄｅｖｉｃｅ）通信を実行し得る。
【００２４】
例示的に、５Ｇシステムまたは５Ｇネットワークは、ニューラジオ（ＮＲ：Ｎｅｗ  Ｒａｄｉｏ）システムまたはＮＲネットワークとも称し得る。
【００２５】
図５は、１つのネットワーク機器および２つの端末機器を例示的に示し、例示的に、前記通信システム１００は、複数のネットワーク機器を備えることができ、各ネットワーク機器のカバレッジエリア内には、他の数の端末機器を備えることができるが、本出願の実施例はこれらに限定されない。
【００２６】
例示的に、前記通信システム１００は、ネットワークコントローラ、モバイル管理エンティティなどの他のネットワークエンティティをさらに含むことができるが、本出願の実施例はこれらに限定されない。
【００２７】
本出願の実施例では、ネットワーク／システムにおける通信機能を備えた機器を通信機器と称し得ることを理解されたい。図５に示された通信システム１００を例とすると、通信機器は、通信機能を備えたネットワーク機器１１０および端末機器１２０を備えることができ、ネットワーク機器１１０および端末機器１２０は以上に記載の具体的な機器であってもよく、ここでは再び説明しない。通信機器は、通信システム１００の、ネットワークコントローラ、モバイル管理エンティティなどの他のネットワークエンティティなどの、他の機器をさらに備えることができ、本出願の実施例はこれらに限定されない。
【００２８】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合など３つの場合を表す。さらに、本明細書における記号「／」は、一般的に、コンテキストオブジェクトが「または」の関係であることを示す。
【００２９】
図６に示されたように、本出願の実施例はネットワーク機器に適用される能力のインタラクション方法を提供し、前記方法は次のステップを含む。
【００３０】
ステップ６０１において、少なくとも１つの隣接ネットワーク機器、および／または少なくとも１つの隣接セルの能力情報を取得する。
【００３１】
ステップ６０２において、前記隣接ネットワーク機器、および／または少なくとも１つの隣接セルの能力情報に基づいて、少なくとも１つの端末機器に対する無線リソースの構成を決定する。
【００３２】
本実施例では、前記ネットワーク機器はＮＲ、ｅＬＴＥまたは他の通信システムの基地局であってもよく、さらに、マスタノード（ＭＮ）であってもよい。それに対応して、隣接ネットワーク機器はＭＮに隣接する基地局であってもよく、またはセカンダリノード（ＳＮ）として追加するかどうかを判断するためにＭＮによって使用される基地局であってもよく、
前記ステップ６０１では、隣接ネットワーク機器および隣接セルの能力情報を取得する方式は、以下の２つの方式を含み得る。
【００３３】
最初の方式として、少なくとも１つの隣接ネットワーク機器間のＸｎインターフェースを介して、少なくとも１つの隣接ネットワーク機器、および／または少なくとも１つの隣接セルの能力情報を取得する。
【００３４】
この処理方式では、Ｘｎインターフェースによって取得された隣接ネットワーク機器の能力情報は、セルを粒度として使用する能力情報であってもよく、即ち、隣接ネットワーク機器の能力情報、および隣接ネットワーク機器が管理する少なくとも１つの隣接セルの能力情報を取得することができることを留意する必要がある。
【００３５】
前記能力情報は、
接続可能なコアネットワーク情報、ＮＥ−デュアル接続（ＤＣ）能力サポート指示、ＳＲＢ３能力サポート指示、スピリットＳＲＢ１能力サポート指示、スピリットＳＲＢ２能力サポート指示、ＤＣベースのＰＤＣＰ複製能力サポート指示、キャリアアグリゲーション（ＣＡ）ベースのＰＤＣＰ複製能力サポート指示、無線周波数情報、負荷指示情報、ＴＡＣ情報のうちの少なくとも１つを含む。
【００３６】
第２方式として、
端末機器によって送信された測定報告を取得し、ここで、前記測定報告は、少なくとも１つの隣接ネットワーク機器または少なくとも１つの隣接セルの能力情報、および前記少なくとも１つの隣接ネットワーク機器または少なくとも１つの隣接セルの識別子情報を少なくとも含む。
【００３７】
上記の処理を実行する前に、前記方法は、測定構成を端末機器に送信することをさらに含むことができ、前記測定構成は、前記端末機器が測定する必要のある隣接ネットワーク機器の識別子情報、および／または隣接セルの識別子情報を指示するために使用される。
【００３８】
即ち、まず、カバレッジエリア内にある端末機器は、測定時に、測定が必要な隣接ネットワーク機器および隣接セルの情報を通知し、その後、端末機器によって、隣接ネットワーク機器および隣接セルの能力情報を取得される。
【００３９】
この方式では、ネットワーク機器は、ネットワーク機器および／またはセルの能力情報をブロードキャストする、第１通信ユニット７１による処理を実行することができることをさらに理解されたい。
【００４０】
ここで、前記能力情報は、接続可能なコアネットワーク情報（例えば、ＥＰＣ、および／または５ＧＣ、および／またはｂｏｔｈ）、ＮＥ−デュアル接続（ＤＣ）能力サポート指示、ＳＲＢ３能力サポート指示、スピリットＳＲＢ１能力サポート指示、スピリットＳＲＢ２能力サポート指示、ＤＣベースのＰＤＣＰ複製能力サポート指示、キャリアアグリゲーション（ＣＡ）ベースのＰＤＣＰ複製能力サポート指示、無線周波数情報、負荷指示情報、ＴＡＣ情報を含むが、これらに限定されない。
【００４１】
ネットワーク機器が基地局２であり、隣接ネットワーク機器が基地局１であるとして例を挙げると、
基地局１（基地局１および基地局２であってもよい）ノードおよび／またはセルは、前記基地局および／またはセルに関する能力情報をブロードキャストし、
基地局２は、端末機器が測定を実行するように構成し、測定構成では、端末機器が測定する必要のある隣接基地局の識別子情報および／または隣接ターゲットセルの識別子情報を指示し、ＵＥが隣接基地局および／または隣接セルの能力情報を報告するように要求する。
【００４２】
基地局２は、端末機器によって報告された測定報告を受信し、前記測定報告は、少なくとも１つの隣接ネットワーク機器または少なくとも１つの隣接セルの能力情報、および前記少なくとも１つの隣接ネットワーク機器または少なくとも１つの隣接セルの識別子情報を少なくとも含む。
【００４３】
基地局２は、端末機器の測定報告を取得した後、前記端末機器によって送信された少なくとも１つの隣接ネットワーク機器、および／または少なくとも１つの隣接セルの能力情報に基づいて、隣接ネットワーク機器または隣接セルの能力情報を隣接セル関係リストに追加する。即ち、ＡＮＲ隣接セル関係では、隣接基地局および／または隣接セルの能力情報を維持し、即ち、隣接基地局および／または隣接セルの能力情報を隣接セル関係リストに追加する。
【００４４】
前記隣接ネットワーク機器、および／または少なくとも１つの隣接セルの能力情報に基づいて、少なくとも１つの端末機器に対する無線リソースの構成を決定することは、対応するセカンダリノード（ＳＮ）を端末機器に対して構成するかどうかを判断することであり、即ち、ネットワーク機器がＭＮとして使用される場合、隣接ネットワーク機器および／または隣接セルの能力情報に基づいて、隣接ネットワーク機器が前記端末機器のＳＮとして追加されることができるかどうかを判断し、こうして、端末機器に対して無線リースの構成を実行することを実現する。具体的に説明すると以下の通りである。
【００４５】
隣接ネットワーク機器の能力情報、および前記隣接ネットワーク機器に対する端末機器の測定報告に従って、前記隣接ネットワーク機器をセカンダリノード（ＳＮ）として構成するかどうかを判断する。
【００４６】
前記隣接ネットワーク機器をＳＮとして追加する場合、前記隣接ネットワーク機器に需要情報を構成し、
ここで、前記需要情報は、ＳＮ側のＳＲＢ３の構成需要指示、ＳＮ側のスピリットＳＲＢ１の構成需要指示、ＳＮ側のスピリットＳＲＢ２の構成需要指示、ＳＮ側のデュアル接続（ＤＣ）ベースのＰＤＣＰ複製の構成需要指示および対応するＤＲＢ識別子、ＳＮ側のキャリアアグリゲーション（ＣＡ）ベースのＰＤＣＰ複製の構成需要指示および対応するＤＲＢ識別子のうちの少なくとも１つを含む。
【００４７】
隣接ネットワーク機器に需要情報を構成する場合、隣接ネットワーク機器は、さらに、前記需要情報に従ってこれらの需要をサポートするかどうかを判断することができ、サポートしない場合、構成しないことができ、ネットワーク機器に、ネットワーク機器自体がその中の少なくとも１つの需要をサポートしないフィードバック情報を通知することもできることを留意する必要がある。
【００４８】
さらに、前記隣接ネットワーク機器の能力情報、および前記隣接ネットワーク機器に対する端末機器の測定報告に従って、前記隣接ネットワーク機器をセカンダリノード（ＳＮ）として構成するかどうかを判断することは、
接続可能なコアネットワーク情報、ＮＥ−ＤＣ能力サポート指示、ＳＲＢ３能力サポート指示、スピリットＳＲＢ１能力サポート指示、スピリットＳＲＢ２能力サポート指示、ＤＣベースのＰＤＣＰ複製能力サポート指示、ＣＡベースのＰＤＣＰ複製能力サポート指示のうちの少なくとも１つの前記隣接ネットワーク機器の能力情報、および前記隣接ネットワーク機器に対する端末機器の測定報告に従って、前記隣接ネットワーク機器をセカンダリノード（ＳＮ）として構成するかどうかを判断することを含む。
【００４９】
ここで、前記隣接ネットワーク機器に対する測定報告は、隣接ネットワーク機器の信号品質などの情報をさらに含むことができ、ここでは繰り返して説明しない。
【００５０】
即ち、隣接ネットワーク機器の能力情報、およびそれらの信号品質を含む測定報告に基づいて、前記隣接ネットワーク機器をＳＮとして構成するかどうかを判断する必要がある。
【００５１】
さらに、無線周波数情報、負荷指示情報、およびＴＡＣ情報に基づいて、
前記隣接ネットワーク機器の能力情報に無線周波数情報が含まれている場合、端末機器によってサポートされる無線周波数情報を参照して、前記隣接ネットワーク機器をＳＮとして構成するかどうかを判断すること、
前記隣接ネットワーク機器の能力情報に負荷指示情報が含まれている場合、少なくとも１つの隣接ネットワーク機器の負荷状況を参照して、前記少なくとも１つの隣接ネットワーク機器からターゲットネットワーク機器を選択してＳＮとして構成すること、負荷指示情報に対して、即ち、ネットワーク負荷状況を表す情報が与えられ、ＭＮは、複数の選択的なＳＮに対応する負荷状况を参照して、最終のターゲットＳＮノードを選択して構成することを決定することができること、のうちの少なくとも１つの処理を実行することをさらに含むことができる。さらに、複数の選択的なＳＮ（即ち、複数の隣接ネットワーク機器である）の信号品質および能力情報などを参照して、ターゲットＳＮノードの選択を実行することもできる。例えば、信号品質はプリセットされた第１閾値より大きこと、能力情報は、プリセットされた能力情報を有する必要があることなど、ここでは網羅的な列挙をしない。
【００５２】
前記隣接ネットワーク機器の能力情報にトラッキングエリアコード（ＴＡＣ）情報が含まれている場合、コアネットワークからの端末機器のハンドオーバ制限情報を参照して、前記隣接ネットワーク機器をＳＮとして構成するかどうかを判断する。
【００５３】
具体的には、前記コアネットワークからの端末機器のハンドオーバ制限情報を参照して、前記隣接ネットワーク機器をＳＮとして構成するかどうかを判断することは、コアネットワークからの端末機器のハンドオーバ制限情報が、隣接ネットワーク機器に対応するＴＡＣがアクセス禁止ＴＡＣであることである場合、前記隣接ネットワーク機器をＳＮとして構成しないことを含む。
【００５４】
ＴＡＣ情報に対して、ＭＮはコアネットワークからのＵＥのハンドオーバ（ＨＯ）限制情報を参照し、例えば、ターゲットＴＡＣがＵＥのアクセス禁止ＴＡＣである場合、ＭＮはそれをターゲットＳＮとして追加せず、そうでない場合、隣接ネットワーク機器の他の能力情報を参照してＳＮとして追加するかどうかを判断することができる。ここで、他の能力情報は、指定された少なくとも１つの能力情報であってもよいが、ここでは網羅的な列挙をしない。
【００５５】
上記の技術案を使用することにより、ネットワーク機器およびその隣接ネットワーク機器および／または隣接セル間を介して能力情報のインタラクションを実行することができるため、端末機器の無線リソースの構成を実行することができ、この場合、無線リソースの構成を実行する時に、端末機器の要件にさらに適合することを保証し、さらに、システムの無線リソースの使用効率を向上させることができることがわかる。
【００５６】
本出願の実施例は、端末機器に適用される、能力のインタラクション方法を提供し、前記方法は、測定報告をネットワーク機器に送信することを含み、前記測定報告は、少なくとも１つの隣接ネットワーク機器および／または少なくとも１つの隣接セルの能力情報、および前記少なくとも１つの隣接ネットワーク機器または少なくとも１つの隣接セルの識別子情報を少なくとも含む。
【００５７】
本実施例では、前記ネットワーク機器はＮＲ、ｅＬＴＥまたは他の通信システムの基地局であってもよく、さらに、マスタノード（ＭＮ）であってもよい。それに対応して、隣接ネットワーク機器は、ネットワーク機器、即ちＭＮに隣接する基地局であってもよく、またはセカンダリノード（ＳＮ）として追加するかどうかを判断するためにＭＮによって使用される基地局であってもよい。
【００５８】
上記の処理を実行する前に、前記方法は、ネットワーク機器によって送信された測定構成を受信することをさらに含み、前記測定構成は、前記端末機器が測定する必要のある隣接ネットワーク機器の識別子情報、および／または隣接セルの識別子情報を指示するために使用される。
【００５９】
即ち、まず、カバレッジエリア内にある端末機器は、測定時に、測定が必要な隣接ネットワーク機器および隣接セルの情報を通知し、その後、端末機器によって、隣接ネットワーク機器および隣接セルの能力情報を取得される。
【００６０】
ここで、前記能力情報は、接続可能なコアネットワーク情報（例えば、ＥＰＣ、および／または５ＧＣ、および／またはｂｏｔｈ）、ＮＥ−デュアル接続（ＤＣ）能力サポート指示、ＳＲＢ３能力サポート指示、スピリットＳＲＢ１能力サポート指示、スピリットＳＲＢ２能力サポート指示、ＤＣベースのＰＤＣＰ複製能力サポート指示、キャリアアグリゲーション（ＣＡ）ベースのＰＤＣＰ複製能力サポート指示、無線周波数情報、負荷指示情報、ＴＡＣ情報を含むが、これらに限定されない。
【００６１】
端末機器は、さらに、隣接ネットワーク機器および／または隣接セルによってブロードキャストされた能力情報を受信することができる。
【００６２】
ネットワーク機器が基地局２であり、隣接ネットワーク機器が基地局１であるとして例を挙げると、
基地局１（基地局１および基地局２であってもよい）ノードおよび／またはセルは、前記基地局および／またはセルに関する能力情報をブロードキャストし、
基地局２は、端末機器が測定を実行するように構成し、測定構成では、端末機器が測定する必要のある隣接基地局の識別子情報および／または隣接ターゲットセルの識別子情報を指示し、ＵＥが隣接基地局および／または隣接セルの能力情報を報告するように要求する。
【００６３】
基地局２は、端末機器によって報告された測定報告を受信し、前記測定報告は、少なくとも１つの隣接ネットワーク機器または少なくとも１つの隣接セルの能力情報、および前記少なくとも１つの隣接ネットワーク機器または少なくとも１つの隣接セルの識別子情報を少なくとも含む。
【００６４】
基地局２は、端末機器の測定報告を取得した後、前記端末機器によって送信された少なくとも１つの隣接ネットワーク機器、および／または少なくとも１つの隣接セルの能力情報に基づいて、隣接ネットワーク機器または隣接セルの能力情報を隣接セル関係リストに追加する。即ち、ＡＮＲ隣接セル関係では、隣接基地局および／または隣接セルの能力情報を維持し、即ち、隣接基地局および／または隣接セルの能力情報を隣接セル関係リストに追加する。
【００６５】
前記隣接ネットワーク機器、および／または少なくとも１つの隣接セルの能力情報に基づいて、少なくとも１つの端末機器に対する無線リソースの構成を決定することは、対応するセカンダリノード（ＳＮ）を端末機器に対して構成するかどうかを判断することであり、即ち、ネットワーク機器がＭＮとして使用される場合、隣接ネットワーク機器および／または隣接セルの能力情報に基づいて、隣接ネットワーク機器が前記端末機器のＳＮとして追加されることができるかどうかを判断し、こうして、端末機器に対して無線リースの構成を実行することを実現する。
【００６６】
上記の技術案を使用することにより、ネットワーク機器およびその隣接ネットワーク機器および／または隣接セル間を介して能力情報のインタラクションを実行することができるため、端末機器の無線リソースの構成を実行することができ、この場合、無線リソースの構成を実行する時に、端末機器の要件にさらに適合することを保証し、さらに、システムの無線リソースの使用効率を向上させることができることがわかる。
【００６７】
図７に示されたように、本出願の実施例はネットワーク機器を提供し、前記ネットワーク機器は、
少なくとも１つの隣接ネットワーク機器、および／または少なくとも１つの隣接セルの能力情報を取得するように構成される第１通信ユニット７１と、
前記隣接ネットワーク機器、および／または少なくとも１つの隣接セルの能力情報に基づいて、少なくとも１つの端末機器に対する無線リソースの構成を決定するように構成される第１処理ユニット７２とを含む。
【００６８】
本実施例では、前記ネットワーク機器はＮＲ、ｅＬＴＥまたは他の通信システムの基地局であってもよく、さらに、マスタノード（ＭＮ）であってもよい。それに対応して、隣接ネットワーク機器は、ＭＮに隣接する基地局であってもよく、またはセカンダリノード（ＳＮ）として追加するかどうかを判断するためにＭＮによって使用される基地局であってもよく、
隣接ネットワーク機器および隣接セルの能力情報を取得する方式に関しては、以下の２つの方式を含み得る。
【００６９】
最初の方式として、第１通信ユニット７１は、少なくとも１つの隣接ネットワーク機器間のＸｎインターフェースを介して、少なくとも１つの隣接ネットワーク機器、および／または少なくとも１つの隣接セルの能力情報を取得するように構成される。
【００７０】
この処理方式では、Ｘｎインターフェースによって取得された隣接ネットワーク機器の能力情報、セルを粒度として使用する能力情報であってもよく、即ち、取得された隣接ネットワーク機器の能力情報、およびそれらによって管理される少なくとも１つの隣接セルの能力情報を取得することができることを留意する必要がある。
【００７１】
前記能力情報は、
接続可能なコアネットワーク情報、ＮＥ−デュアル接続（ＤＣ）能力サポート指示、ＳＲＢ３能力サポート指示、スピリットＳＲＢ１能力サポート指示、スピリットＳＲＢ２能力サポート指示、ＤＣベースのＰＤＣＰ複製能力サポート指示、キャリアアグリゲーション（ＣＡ）ベースのＰＤＣＰ複製能力サポート指示、無線周波数情報、負荷指示情報、ＴＡＣ情報のうちの少なくとも１つを含む。
【００７２】
第２方式として、
第１通信ユニット７１は、端末機器によって送信された測定報告を取得するように構成され、ここで、前記測定報告は、少なくとも１つの隣接ネットワーク機器の能力情報または少なくとも１つの隣接セルの能力情報、および前記少なくとも１つの隣接ネットワーク機器の識別子情報または少なくとも１つの隣接セルの識別子情報を少なくとも含む。
【００７３】
上記の処理を実行する前に、前記第１通信ユニット７１は、測定構成を端末機器に送信するように構成され、ここで、前記測定構成は、前記端末機器が測定する必要のある隣接ネットワーク機器の識別子情報、および／または隣接セルの識別子情報を指示するために使用される。
【００７４】
即ち、まず、カバレッジエリア内にある端末機器は、測定時に、測定が必要な隣接ネットワーク機器および隣接セルの情報を通知し、その後、端末機器によって、隣接ネットワーク機器および隣接セルの能力情報を取得される。
【００７５】
この方式では、ネットワーク機器は、次の処理を行うこともできる。第１通信ユニット７１は、ネットワーク機器および／またはセルの能力情報をブロードキャストするように構成されることをさらに理解されたい。
【００７６】
ここで、前記能力情報は、接続可能なコアネットワーク情報（例えば、ＥＰＣ、および／または５ＧＣ、および／またはｂｏｔｈ）、ＮＥ−デュアル接続（ＤＣ）能力サポート指示、ＳＲＢ３能力サポート指示、スピリットＳＲＢ１能力サポート指示、スピリットＳＲＢ２能力サポート指示、ＤＣベースのＰＤＣＰ複製能力サポート指示、キャリアアグリゲーション（ＣＡ）ベースのＰＤＣＰ複製能力サポート指示、無線周波数情報、負荷指示情報、ＴＡＣ情報を含むが、これらに限定されない。
【００７７】
ネットワーク機器は基地局２であり、隣接ネットワーク機器は基地局１であるとして例を挙げると、
基地局１（基地局１および基地局２であってもよい）ノードおよび／またはセルは、基地局および／またはセルに関する能力情報をブロードキャストし、
基地局２は端末機器が測定を実行するように構成し、測定構成では、端末機器が測定する必要のある隣接基地局の識別子情報および／または隣接ターゲットセルの識別子情報を指示し、ＵＥが隣接基地局および／または隣接セルの能力情報を報告するように要求する。
【００７８】
基地局２は端末機器によって報告された測定報告を受信し、前記測定報告は、少なくとも１つの隣接ネットワーク機器の能力情報または少なくとも１つの隣接セルの能力情報、および前記少なくとも１つの隣接ネットワーク機器の識別子情報または少なくとも１つの隣接セルの識別子情報を少なくとも含む。
【００７９】
基地局２は端末機器の測定報告を取得した後、前記端末機器によって送信された少なくとも１つの隣接ネットワーク機器の能力情報、および／または少なくとも１つの隣接セルの能力情報に基づいて、隣接ネットワーク機器の能力情報または隣接セルの能力情報を隣接セル関係リストに追加する。即ち、ＡＮＲ隣接セル関係では、隣接基地局および／または隣接セルの能力情報を維持し、即ち、隣接基地局および／または隣接セルの能力情報を隣接セル関係リストに追加する。
【００８０】
前記隣接ネットワーク機器の能力情報、および／または少なくとも１つの隣接セルの能力情報に基づいて、少なくとも１つの端末機器に対する無線リソースの構成を決定することは、端末機器が対応するセカンダリノード（ＳＮ）を構成したかどうかを判断することであり、即ち、ネットワーク機器がＭＮとして使用される場合、隣接ネットワーク機器および／または隣接セルの能力情報に基づいて、隣接ネットワーク機器が前記端末機器のＳＮとして追加されることができるかどうかを判断し、こうして、端末機器に対して無線リースの構成を実行することを実現する。具体的に説明すると以下の通りである。
【００８１】
前記第１処理ユニット７２は、隣接ネットワーク機器の能力情報、および前記隣接ネットワーク機器に対する端末機器の測定報告に従って、前記隣接ネットワーク機器をセカンダリノード（ＳＮ）として構成するかどうかを判断するように構成される。
【００８２】
前記隣接ネットワーク機器をＳＮとして追加する場合、第１通信ユニットを介して前記隣接ネットワーク機器に需要情報を構成し、
ここで、前記需要情報は、ＳＮ側にＳＲＢ３需要指示を構成すること、ＳＮ側にスピリットＳＲＢ１需要指示を構成すること、ＳＮ側にスピリットＳＲＢ２需要指示を構成すること、ＳＮ側に基づいてデュアル接続（ＤＣ）のＰＤＣＰ複製需要指示および対応するＤＲＢ識別子を構成すること、ＳＮ側に基づいてキャリアアグリゲーション（ＣＡ）ベースのＰＤＣＰ複製需要指示および対応するＤＲＢ識別子を構成することのうちの少なくとも１つを含む。
【００８３】
隣接ネットワーク機器に需要情報を構成する場合、隣接ネットワーク機器は、さらに、前記需要情報に従ってこれらのニーズをサポートするかどうかを判断することができ、サポートしない場合構成しないことができ、ネットワーク機器に、自体がここでの少なくとも１つのニーズのフィードバック情報をサポートしないことを通知することもできることを留意する必要がある。
【００８４】
さらに、前記第１処理ユニット７２は、前記隣接ネットワーク機器の接続可能なコアネットワーク情報、ＮＥ−ＤＣ能力サポート指示、ＳＲＢ３能力サポート指示、スピリットＳＲＢ１能力サポート指示、スピリットＳＲＢ２能力サポート指示、ＤＣベースのＰＤＣＰ複製能力サポート指示、ＣＡのＰＤＣＰ複製能力に基づいて指示をサポートするのうちの少なくとも１つの能力情報、および前記隣接ネットワーク機器に対する端末機器の測定報告に従って、前記隣接ネットワーク機器をセカンダリノード（ＳＮ）として構成するかどうかを判断するように構成される。
【００８５】
ここで、前記隣接ネットワーク機器に対する測定報告は、隣接ネットワーク機器の信号品質などの情報をさらに含むことができ、ここでは繰り返して説明しない。
【００８６】
即ち、隣接ネットワーク機器の能力情報、およびそれらの信号品質を含む測定報告に基づいて、前記隣接ネットワーク機器をＳＮとして構成するかどうかを判断する必要がある。
【００８７】
さらに、無線周波数情報、負荷指示情報、およびＴＡＣ情報に基づいて、前記第１処理ユニット７２は、
前記隣接ネットワーク機器の能力情報に無線周波数情報が含まれている場合、端末機器によってサポートされる無線周波数情報を参照して、前記隣接ネットワーク機器をＳＮとして構成するかどうかを判断すること、
前記隣接ネットワーク機器の能力情報に負荷指示情報が含まれている場合、少なくとも１つの隣接ネットワーク機器の負荷状況を参照して、前記少なくとも１つの隣接ネットワーク機器からターゲットネットワーク機器を選択して、ＳＮとして構成すること、負荷指示情報、即ち、ネットワーク負荷状況を表す情報が与えられ、ＭＮは、複数の選択的なＳＮに対応する負荷状况を参照して、最終のターゲットＳＮノードを選択して構成することを決定することができること、の少なくとも１つを実行するように構成される。さらに、複数の選択的なＳＮ（即ち、複数の隣接ネットワーク機器である）の信号品質および能力情報などを参照して、ターゲットＳＮノードの選択を実行することもできる。例えば、信号品質はプリセットされた第１閾値より大きく、能力情報はプリセットされた能力情報などを有する必要があり、ここでは網羅的な列挙をしない。
【００８８】
前記隣接ネットワーク機器の能力情報にトラッキングエリアコード（ＴＡＣ）情報が含まれている場合、コアネットワークからの端末機器のハンドオーバ制限情報を参照して、前記隣接ネットワーク機器をＳＮとして構成するかどうかを判断する。
【００８９】
具体的には、前記第１処理ユニット７２は、コアネットワークからの端末機器のハンドオーバ制限情報が、隣接ネットワーク機器に対応するＴＡＣがアクセス禁止ＴＡＣであることである場合、前記隣接ネットワーク機器をＳＮとして構成しないように構成される。
【００９０】
ＴＡＣ情報に対して、ＭＮはコアネットワークからのＵＥのハンドオーバ（ＨＯ）限制情報を参照し、例えば、ターゲットＴＡＣがＵＥのアクセス禁止ＴＡＣである場合、ＭＮはそれをターゲットＳＮに追加せず、そうでない場合、隣接ネットワーク機器の他の能力情報を参照してＳＮとして追加するかどうかを判断することができる。ここで、他の能力情報は指定された少なくとも１つの能力情報であってもよく、ここでは網羅的な列挙をしない。
【００９１】
上記の技術案を使用することにより、ネットワーク機器およびその隣接ネットワーク機器および／または隣接セル間を介して能力情報のインタラクションを実行することができるため、端末機器の無線リソースの構成を実行することができ、この場合、無線リソースの構成を実行する時に、端末機器の要件にさらに適合することを保証し、さらに、システムの無線リソースの使用効率を向上させることができることがわかる。
【００９２】
本出願の実施例は端末機器を提供し、測定報告をネットワーク機器に送信するように構成される第２通信ユニットを備え、前記測定報告は、少なくとも１つの隣接ネットワーク機器および／または少なくとも１つの隣接セルの能力情報、および前記少なくとも１つの隣接ネットワーク機器または少なくとも１つの隣接セルの識別子情報を少なくとも含む。
【００９３】
本実施例では、前記ネットワーク機器はＮＲ、ｅＬＴＥまたは他の通信システムの基地局であってもよく、さらに、マスタノード（ＭＮ）であってもよい。それに対応して、隣接ネットワーク機器は、ネットワーク機器、即ちＭＮに隣接する基地局であってもよく、またはセカンダリノード（ＳＮ）として追加するかどうかを判断するためにＭＮによって使用される基地局であってもよい。
【００９４】
上記の処理を実行する前に、前記第２通信ユニットは、ネットワーク機器によって送信された測定構成を受信するように構成され、ここで、前記測定構成は、前記端末機器が測定する必要のある隣接ネットワーク機器の識別子情報、および／または隣接セルの識別子情報を指示するために使用される。
【００９５】
即ち、まず、カバレッジエリア内にある端末機器は、測定時に、測定が必要な隣接ネットワーク機器および隣接セルの情報を通知し、その後、端末機器によって、隣接ネットワーク機器および隣接セルの能力情報を取得される。
【００９６】
ここで、前記能力情報は、接続可能なコアネットワーク情報（例えば、ＥＰＣ、および／または５ＧＣ、および／またはｂｏｔｈ）、ＮＥ−デュアル接続（ＤＣ）能力サポート指示、ＳＲＢ３能力サポート指示、スピリットＳＲＢ１能力サポート指示、スピリットＳＲＢ２能力サポート指示、ＤＣベースのＰＤＣＰ複製能力サポート指示、キャリアアグリゲーション（ＣＡ）ベースのＰＤＣＰ複製能力サポート指示、無線周波数情報、負荷指示情報、ＴＡＣ情報を含むが、これらに限定されない。
【００９７】
第２通信ユニットは、隣接ネットワーク機器および／または隣接セルによってブロードキャストされた能力情報を受信するように構成される。
【００９８】
ネットワーク機器は基地局２であり、隣接ネットワーク機器は基地局１であるとして例を挙げると、
基地局１（基地局１および基地局２であってもよい）ノードおよび／またはセルは、基地局および／またはセルに関する能力情報をブロードキャストし、
基地局２は端末機器が測定を実行するように構成し、測定構成では、端末機器が測定する必要のある隣接基地局の識別子情報および／または隣接ターゲットセルの識別子情報を指示し、ＵＥが隣接基地局および／または隣接セルの能力情報を報告するように要求する。
【００９９】
基地局２は端末機器によって報告された測定報告を受信し、前記測定報告は、少なくとも１つの隣接ネットワーク機器または少なくとも１つの隣接セルの能力情報、および前記少なくとも１つの隣接ネットワーク機器または少なくとも１つの隣接セルの識別子情報を少なくとも含む。
【０１００】
基地局２は端末機器の測定報告を取得した後、前記端末機器によって送信された少なくとも１つの隣接ネットワーク機器、および／または少なくとも１つの隣接セルの能力情報に基づいて、隣接ネットワーク機器または隣接セルの能力情報を隣接セル関係リストに追加する。即ち、ＡＮＲ隣接セル関係では、隣接基地局および／または隣接セルの能力情報を維持し、即ち、隣接基地局および／または隣接セルの能力情報を隣接セル関係リストに追加する。
【０１０１】
前記隣接ネットワーク機器、および／または少なくとも１つの隣接セルの能力情報に基づいて、少なくとも１つの端末機器に対する無線リソースの構成を決定することは、端末機器が対応するセカンダリノード（ＳＮ）を構成したかどうかを判断することであり、即ち、ネットワーク機器がＭＮとして使用される場合、隣接ネットワーク機器および／または隣接セルの能力情報に基づいて、隣接ネットワーク機器が前記端末機器のＳＮとして追加されることができるかどうかを判断し、こうして、端末機器に対して無線リースの構成を実行することを実現する。
【０１０２】
上記の技術案を使用することにより、ネットワーク機器およびその隣接ネットワーク機器および／または隣接セル間を介して能力情報のインタラクションを実行することができるため、端末機器の無線リソースの構成を実行することができ、この場合、無線リソースの構成を実行する時に、端末機器の要件にさらに適合することを保証し、さらに、システムの無線リソースの使用効率を向上させることができることがわかる。
【０１０３】
図８は、本出願の実施例によって提供された通信機器８００の例示的な構造図である。図８に示された通信機器８００は、プロセッサ８１０を備える、プロセッサ８１０は、本出願の実施例の方法を実現するために、メモリからコンピュータプログラムを呼び出して実行することができる。
【０１０４】
例示的に、図８に示されたように、通信機器８００は、さらに、メモリ８２０を備えることができる。ここで、プロセッサ８１０は、本出願の実施例の方法を実現するために、メモリ８２０からコンピュータプログラムを呼び出して実行することができる。
【０１０５】
ここで、メモリ８２０は、プロセッサ８１０から独立した１つの独立的なデバイスであってもよく、プロセッサ８１０に統合されてもよい。
【０１０６】
例示的に、図８に示されたように、通信機器８００は、さらに、トランシーバ８３０を備えることができ、プロセッサ８１０は前記トランシーバ８３０が他の機器と通信することを制御することができ、具体的には、情報またはデータを他の機器に送信し、または他の機器によって送信された情報またはデータを受信することができる。
【０１０７】
ここで、トランシーバ８３０は、送信機および受信機を備えることができる。トランシーバ８３０は、アンテナをさらに備えることができ、アンテナの数は１つまたは複数であり得る。
【０１０８】
例示的に、前記通信機器８００は、具体的に、本出願の実施例のネットワーク機器であってもよく、前記通信機器８００は、本出願の実施例の各方法のネットワーク機器によって実現される、対応するプロセスを実現することができ、簡潔のために、ここでは繰り返して説明しない。
【０１０９】
例示的に、前記通信機器８００は、具体的に、本出願の実施例の端末機器、またはネットワーク機器であってもよく、前記通信機器８００は、本出願の実施例の各方法のモバイル端末／端末機器によって実現される、対応するプロセスを実現することができ、簡潔のために、ここでは繰り返して説明しない。
【０１１０】
図９は、本出願の実施例のチップの例示的な構造図である。図９に示されたチップ９００は、プロセッサ９１０を備える、プロセッサ９１０は、本出願の実施例の方法を実現するために、メモリからコンピュータプログラムを呼び出して実行することができる。
【０１１１】
例示的に、図９に示されたように、チップ９００は、さらに、メモリ９２０を備えることができる。ここで、プロセッサ９１０は、本出願の実施例の方法を実現するために、メモリ９２０からコンピュータプログラムを呼び出して実行することができる。
【０１１２】
ここで、メモリ９２０は、プロセッサ９１０から独立した１つの独立的なデバイスであってもよく、プロセッサ９１０に統合されてもよい。
【０１１３】
例示的に、前記チップ９００は、、さらに、入力インターフェース９３０を備えることができる。ここで、プロセッサ９１０は、前記入力インターフェース９３０を制御して他の機器またはチップと通信することができ、具体的には、他の機器またはチップによって送信された情報またはデータを取得することができる。
【０１１４】
例示的に、前記チップ９００は、さらに、出力インターフェース９４０を備えることができる。ここで、プロセッサ９１０は、前記出力インターフェース９４０を制御して他の機器またはチップと通信することができ、具体的には、他の機器またはチップに出力情報またはデータを出力することができる。
【０１１５】
例示的に、前記チップは、本出願の実施例のネットワーク機器に適用されることができ、前記チップは、本出願の実施例の各方法のネットワーク機器によって実現される、対応するプロセスを実現することができ、簡潔のために、ここでは繰り返して説明しない。
【０１１６】
例示的に、前記チップは、本出願の実施例の端末機器に適用されることができ、前記チップは、本出願の実施例の各方法の端末機器によって実現される、対応するプロセスを実現することができ、簡潔のために、ここでは繰り返して説明しない。
【０１１７】
本出願の実施例で言及されるチップは、システムレベルチップ、システムチップ、チップシステムまたはシステムオンチップなどとも称し得ることを理解されたい。
【０１１８】
図１０は、本出願の実施例によって提供された例示的な通信システム１０００のアーキテクチャ図である。図１０に示されたように、前記通信システム１０００は、端末機器１０１０およびネットワーク機器１０２０を備える。
【０１１９】
ここで、前記端末機器１０１０は、前記方法における端末によって実現される、対応する機能を実現するように構成され、前記ネットワーク機器１０２０は、前記方法におけるネットワーク機器によって実現される、対応する機能を実現するように構成され、簡潔のために、ここでは繰り返して説明しない。
【０１２０】
本出願の実施例におけるプロセッサは、信号の処理能力を備えた集積回路チップであり得ることを理解されたい。実現プロセスにおいて、上記の方法実施例の各ステップは、プロセッサ内のハードウェアの集積論理回路またはソフトウェアの形の命令によって完了することができる。上記のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアコンポーネントなどであってもよい。本開示の実施例の公開された各方法、ステップおよび論理ブロック図を実現または実行することができる。汎用プロセッサはマイクロプロセッサであってもよく、または前記プロセッサは任意の従来のプロセッサなどであってもよい。本出願の実施例と組み合わせて開示される方法のステップは、ハードウェア復号化プロセッサに直接に具現されて実行し、または復号化プロセッサ中のハードウェアおよびソフトウェアモジュールの組み合わせによって実行して完了されてもよい。ソフトウェアモジュールは、ランダムメモリ、フラッシュメモリ、読み取り専用メモリ、プログラム可能な読み取り専用メモリまたは電気的に消去可能なプログラマブルメモリ、レジスタ等の当技術分野の熟知する記憶媒体に配置されてもよい。前記記憶媒体はメモリ内に配置され、プロセッサはメモリ内の情報を読み取り、そのハードウェアと組み合わせて前記方法のステップを完了する。
【０１２１】
本出願の実施例におけるメモリは、揮発性メモリまたは不揮発性メモリであってもよく、または揮発性と不揮発性メモリの両方を含んでもよいことが理解できるだろう。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。前記メモリは、例示的であるが制限的ではない説明を通じて、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）など、多くの形のＲＡＭが利用可能である。本明細書で説明されるシステムおよび方法のメモリは、これらおよび任意の他の適切なタイプのメモリを含むことが意図されているが、これらに限定されないことに留意されたい。
【０１２２】
前記メモリは、例示的であるが制限的な説明ではなく、例えば、本出願の実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）等であってもよいことを理解されたい。即ち、本出願の実施例のメモリは、これらおよび任意の他の適切なタイプのメモリを含むことが意図されているが、これらに限定されない。
【０１２３】
本出願の実施例は、コンピュータプログラムを記憶するために使用されるコンピュータ読み取り可能な記憶媒体をさらに提供する。
【０１２４】
例示的に、前記コンピュータ読み取り可能な記憶媒体は、本出願の実施例のネットワーク機器に適用されることができ、前記コンピュータプログラムは、コンピュータが本出願の実施例の各方法のネットワーク機器によって実現される、対応するプロセスを実行するようにし、簡潔のために、ここでは繰り返して説明しない。
【０１２５】
例示的に、前記コンピュータ読み取り可能な記憶媒体は、本出願の実施例の端末機器に適用されることができ、前記コンピュータプログラムは、コンピュータが本出願の実施例の各方法のモバイル端末／端末機器によって実現される、対応するプロセスを実行するようにし、簡潔のために、ここでは繰り返して説明しない。
【０１２６】
本出願の実施例は、コンピュータプログラム命令を含むコンピュータプログラム製品をさらに提供する。
【０１２７】
例示的に、前記コンピュータプログラム製品は、本出願の実施例のネットワーク機器に適用されることができ、前記コンピュータプログラム命令は、コンピュータが本出願の実施例の各方法のネットワーク機器によって実現される、対応するプロセスを実行するようにし、簡潔のために、ここでは繰り返して説明しない。
【０１２８】
例示的に、前記コンピュータプログラム製品は、本出願の実施例のモバイル端末／端末機器に適用されることができ、前記コンピュータプログラム命令は、コンピュータが本出願の実施例の各方法のモバイル端末／端末機器によって実現される、対応するプロセスを実行するようにし、簡潔のために、ここでは繰り返して説明しない。
【０１２９】
本出願の実施例は、コンピュータプログラムをさらに提供する。
【０１３０】
例示的に、前記コンピュータプログラムは、本出願の実施例のネットワーク機器に適用されることができ、前記コンピュータプログラムがコンピュータで実行されるときに、コンピュータが本出願の実施例の各方法のネットワーク機器によって実現される、対応するプロセスを実行するようにし、簡潔のために、ここでは繰り返して説明しない。
【０１３１】
例示的に、前記コンピュータプログラムは、本出願の実施例のモバイル端末／端末機器に適用されることができ、前記コンピュータプログラムがコンピュータで実行されるときに、コンピュータが本出願の実施例の各方法のモバイル端末／端末機器によって実現される、対応するプロセスを実行するようにし、簡潔のために、ここでは繰り返して説明しない。
【０１３２】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることが理解できるだろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の範囲を超えると見なされるべきではない。
【０１３３】
説明の便宜および簡潔のために、上記に説明されたシステム、装置およびユニットの具体的な作業プロセスは、前述の方法実施例中の対応するプロセスを参照することができ、ここでは繰り返さないことを当業者は明確に理解することができる。
【０１３４】
本出願で提供されるいくつかの実施例では、開示されたシステム、装置および方法は、他の方法で実現されることができることを理解されたい。例えば、上記で説明された装置実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、いくつかのインターフェース、装置またはユニットを介した間接結合または通信接続であり得、電気的、機械的または他の形態であり得る。
【０１３５】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部または全部ユニットを選択して本実施例の技術案の目的を実現することができる。
【０１３６】
なお、本出願の各実施例における各機能ユニットは１つの処理ユニットに統合されてもよく、または各ユニットが物理的に別々に存在してもよく、２つまたは２つ以上のユニットを１つのユニットに統合してもよい。
【０１３７】
前記機能がソフトウェア機能ユニットの形で実現され、独立した製品として販売または使用される場合、コンピュータ読み取り可能な記憶媒体に記憶することができる。このような理解に基づいて、本出願の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０１３８】
上記の内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2021528894.tif 000003
【図２】
2021528894.tif 000004
【図３】
2021528894.tif 000005
【図４】
2021528894.tif 000006
【図５】
2021528894.tif 000007
【図６】
2021528894.tif 000008
【図７】
2021528894.tif 000009
【図８】
2021528894.tif 000010
【図９】
2021528894.tif 000011
【図１０】
2021528894.tif 000012
【国際調査報告】
2021528894.tif 000013
2021528894.tif 000014
2021528894.tif 000015
2021528894.tif 000016
2021528894.tif 000017